(57)【要約】      （修正有）【課題】屠畜場で蓄肉をフックに掛けて移動させる際に、上方から落下するゴミ・鉄粉・水滴などが蓄肉に付着しないようにし、且つ簡単に取り付けと取り外しが出来、廃棄に関しても容易にする事ができる円盤状の紙製受け皿を提供する。【解決手段】ゴミ・鉄粉・水滴などの落下物を紙製の受け皿に付着させる。紙製の受け皿は、取り付けと取り外しが容易になるように設計した。紙製なので廃棄する際は可燃物として処理でき、且つ紙製なので１回だけの使用に限定することにより衛生面でも好ましい結果となった。【選択図】図１
0003115494.tif 000002
【実用新案登録請求の範囲】
【請求項１】
屠畜場で蓄肉を移動させるフックの軸部に取り付ける異物付着防止用受け皿として、直径が２００〜３７５ｍｍの紙製円盤の中央にフックの軸が嵌まるように穴を設け、且つ図１で舌片Xを挿入する挿入口Yを設けたことを特徴とする円盤状紙製受け皿。
【請求項２】
図１で舌片Xと挿入口Yとの角度Zが３５〜８０°の範囲にある請求項１の円盤状紙製受け皿。
【請求項３】
受け皿の上面に落下物が付着し易いように、受け皿の上面に切り込みを１箇所以上設けた請求項１または２の円盤状紙製受け皿。
【請求項４】
円盤の外周部に図１に示す凹部Aを１箇所以上設けている請求項１または２または３の円盤状紙製受け皿。
【考案の詳細な説明】
【技術分野】
【０００１】
本考案は、屠畜場で蓄肉をフック付きの滑車に吊り下げて、レールに沿って移動させる際に、上方から落下してくるゴミ・鉄粉・水滴などが蓄肉に付着することを防止するために取り付ける円盤状の紙製受け皿に関する。
【背景技術】
【０００２】
屠畜場の作業場において、蓄肉をフック付きの滑車に吊り下げてレールに沿って移動させる際、移動に伴う振動で上方から落下してくるゴミ・鉄粉・水滴などが蓄肉に付着してしまうという衛生面での問題があった。フックが移動する際に生じる振動によりゴミ・鉄粉・水滴などがフック及びフックと接するレールから落下する。フックを中心にして傘状に覆いをすれば、落下物が蓄肉へ付着することを防止することができると考えた。
【０００３】
蓄肉への異物付着を防止する為、蓄肉の上方に樹脂性の漏斗を取り付けてみたが、樹脂性の漏斗では取り付けと取り外しが難しく、かつ再利用する場合には洗浄が必要となる。また、衛生面を考慮して1回だけの使用に限るとコストが高くなり、廃棄する場合は不燃ごみとして扱う必要がある。
【考案の開示】
【考案が解決しようとする課題】
【０００４】
樹脂性の漏斗では取り付けと取り外しが困難なので、簡単に取り付けと取り外しが出来るようにする。また樹脂製では落下物が漏斗に付着せずにそのまま滑り落ち、蓄肉に付着してしまう。
【０００５】
樹脂製の漏斗ではコストが嵩み、衛生面を考慮して一回だけの使用に限るコスト面で割高になる。コストを低減させる素材を用い、且つ使い廻しによる衛生面の悪化を考慮して１回だけの使用にする。
【０００６】
樹脂製の漏斗を用いた場合、廃棄する際には不燃ごみとして扱う必要がある。素材を変更して、廃棄する場合に可燃ごみの扱いにできるようにする。
【課題を解決するための手段】
【０００７】
素材を紙製にし、取りつけと取り外しを簡便にできるように設計する。また、落下物を紙製受け皿に付着させ、落下物が蓄肉に付着しないようにする。
【０００８】
紙製受け皿に舌片と挿入口を設け、舌片を挿入口に挿入して固定することで、ゴミ・鉄粉・水滴などの落下物を受け皿で受け取る形状にする。また、舌片と挿入口の取り付け角度を検討し、適切な受け皿形状になるようにした。
【考案の効果】
【０００９】
素材を紙製にし、取り付けと取り外しが容易になるように設計したので、作業性が向上した。また、落下物が紙製受け皿に付着するようになった。
【００１０】
素材を紙製にしたので、廃棄物として処理する場合、可燃ごみとして扱える。
【００１１】
素材が紙製なので低コストであり、１回だけの使用で廃棄することができる。使い廻しをしないので衛生面において好ましい。
【考案を実施するための最良の形態】
【００１２】
展開図面での直径が２００〜３７５ｍｍの紙製円盤の中心に、フックの軸が嵌まるように穴を設け、かつ図１で舌片Xを挿入する挿入口Yを設ける。中央の穴の直径はフックの直径と一致させる。図１で舌片Xと挿入口Yとの角度Zは、差込口Ｙの根元が乗っている半径線と舌片Ｘが乗っている半径線が成す角度であり、３５〜８０°の角度の範囲にする。また図１に示すように放射状に折れ線を３〜６個程度設けると受け皿の形状が形成し易い。
【００１３】
図１で凹部Aを外周に設ける場合、フックに取り付ける手順として、舌片Xを挿入口Yに挿入してから行う。次に傘状になった紙製受け皿の窪んでいる側からフックの先端を挿入し、そのままフックの根元方向へ移動させる。凹部Aの幅と長さはフックの形状に合わせる。図２のように凹部Aを設けない場合は、フックの軸を紙製受け皿の中央の穴に接するように紙製受け皿を食い込ませてから舌片Xを挿入口Yへ挿入する。比較すると凹部Aを設けた紙製受け皿は、凹部Aを設けない紙製受け皿よりも作業が簡便である。
【００１４】
舌片Xを挿入口Yに挿入して受け皿の形状を形成するが、その場合に角度Zを適切に設定する必要がある。本考案に際して検討を重ねた結果、角度Zが３５〜８０°にあると適正であることが判明した。
【００１５】
紙製受け皿シートの素材を段ボールで作成し、受け皿の上方の面に図５に示すような切り込みを受け皿の上面に１箇所以上設けることで、落下物が受け皿に付着し易いようにした。
＜実施例1＞
【００１６】
直径２５０ｍｍで、素材が段ボールで作成した図1に示す紙製受け皿。角度Zは６７°で、凹部Aは４箇所に設け、折れ線Lを４箇所設けた。
＜実施例２＞
【００１７】
直径２００ｍｍで、素材がコート白ボールで作成した図２に示す紙製受け皿。角度Zは３５°で、凹部Aと折れ線Lは設けていない。また、フックの軸が嵌まる中央の穴に放射状の切れ目を設けることにより、フックの軸と紙製受け皿中央の穴との隙間を埋め、落下物が中央の穴を通って蓄肉に付着することを防止した。
＜実施例３＞
【００１８】
直径３１２．５ｍｍで、素材が段ボールで作成した図３に示す紙製受け皿。角度Zは６７°で、凹部Aは設けず、折れ線Lは４箇所設けた。
＜実施例４＞
【００１９】
直径３７５ｍｍで、素材が段ボールで作成した図４に示す紙製受け皿。角度Zは６７°で、凹部Aは設けず、折れ線Lは４箇所設けた。
＜実施例５＞
【００２０】
直径２８２ｍｍで、素材が段ボールで作成した図５に示す紙製受け皿。角度Zは６７°で、凹部Aは設けず、折れ線Lは４箇所設け、上面の表面に切り込みを１２箇所設けた。切り込みは下面に貫通しておらず、段ボールシートの表層を切り取っている。
【産業上の利用可能性】
【００２１】
本考案により、蓄肉をフックに吊るして移動させる際に、ゴミ・鉄粉・水滴などの落下物が蓄肉に付着することを防止することができ、且つ廃棄する際も可燃物として処理できるようになる。フックへの装着も容易である。
【図面の簡単な説明】
【００２２】
【図１】実施例１の展開図
【図２】実施例２の展開図
【図３】実施例３の展開図
【図４】実施例４の展開図
【図５】実施例５の展開図
【図６】実施例３で、舌片Xを挿入口Yへ挿入した状態の立体図。
【図１】
0003115494.tif 000003
【図２】
0003115494.tif 000004
【図３】
0003115494.tif 000005
【図４】
0003115494.tif 000006
【図５】
0003115494.tif 000007
【図６】
0003115494.tif 000008
【手続補正書】
【提出日】平成17年8月11日(2005.8.11)
【手続補正１】
【補正対象書類名】実用新案登録請求の範囲
【補正対象項目名】全文
【補正方法】変更
【補正の内容】
【実用新案登録請求の範囲】
【請求項１】
屠畜場で蓄肉を移動させるフックの軸部に取り付ける異物付着防止用受け皿として、直径が２００〜３７５ｍｍの紙製円盤の中央にフックの軸が嵌まるように穴を設け、且つ中央の穴から外周部に向いた第１の半径線に沿って破断するに際し、その破断の中間に挿入用の舌片Ｘを設け、且つ第１の半径線と角度Ｚをなす第２の半径線の根元に挿入口Ｙを設けることで、舌片Ｘを挿入口Ｙに挿入して受け皿の形状を形成することを特徴とする円盤状紙製受け皿。
【請求項２】
受け皿の形状を形成するに際して、舌片Ｘが乗っている第１の半径線と挿入口Ｙの根元が乗っている第２の半径線が成す角度Ｚにより受け皿の深さ形状を決定し、該角度Ｚが３５〜８０°の範囲にあることを特徴とする請求項１に記載の円盤状紙製受け皿。
【請求項３】
受け皿の上面に落下物が付着し易いように、受け皿の上面に切り込みを１箇所以上設けたことを特徴とする請求項１または２に記載の円盤状紙製受け皿。
【請求項４】
円盤の外周部にフックの形状に合わせた凹部Ａを１箇所以上設けていることを特徴とする請求項１〜３のいずれか１項に記載の円盤状紙製受け皿。